(57)【要約】【課題】運搬や保管などの目的で複数の容器を積み重ねた際に、複数の容器を安定して積み重ねることができる容器を提供することを課題とする。【解決手段】本発明に係る容器１では、容器本体２の底壁２１は、本体側壁２Ｂの厚みよりも薄く形成され、該底壁２１には、容器本体２の重心が底壁２１の中心軸上に配置されるように底壁補強用リブ２１Ｒが形成され、蓋体３の天壁３１は、底壁２１の厚みよりも薄く形成され、該天壁３１には、容器本体２に蓋体３で蓋をした際の蓋体３の重心が底壁２１の中心軸上に配置されるように天壁補強用リブ３１Ｒが形成され、蓋体３で蓋をした容器本体２を複数積み重ねた際に、下段の蓋体３と上段の容器本体２とが凸状の嵌合部３９および凹状の被嵌合部２１０によって互いに前記本体側壁２Ｂの高さ方向で嵌合するように構成される。【選択図】図４
2015085948.tif 000002
【特許請求の範囲】
【請求項１】
発泡性合成樹脂製の容器本体および蓋体を備え、容器本体は、板状の底壁と、該底壁の表側周縁部に立設され高さ方向端部を容器本体の開口部とする枠状の側壁とを備え、底壁は、側壁の厚みよりも薄く形成され、該底壁には、容器本体の重心が底壁の中心軸上に配置されるように底壁補強用リブが形成され、
蓋体は、容器本体に蓋をすべく容器本体の開口部を閉塞する天壁を備え、天壁は、底壁の厚みよりも薄く形成され、該天壁には、容器本体に蓋体で蓋をした際の蓋体の重心が底壁の中心軸上に配置されるように天壁補強用リブが形成され、
蓋体で蓋をした容器本体を複数積み重ねた際に、下段の蓋体と上段の容器本体とが凸状の嵌合部および凹状の被嵌合部によって互いに前記側壁の高さ方向で嵌合するように構成され、嵌合部および被嵌合部のうちの一方が、底壁の裏側周縁部において表側周縁部の側壁に対応した位置に形成され、嵌合部および被嵌合部のうちの他方が、天壁の表面周縁部において、前記積み重ねの上段の容器本体における前記底壁の嵌合部および被嵌合部のうちの一方に対向する位置に形成されていることを特徴とする容器。
【請求項２】
前記嵌合部は、前記天壁の表面周縁部の全周に亘って凸設され、
前記被嵌合部は、前記底壁の裏面周縁部の全周に亘って凹設されることを特徴とする請求項１記載の容器。
【請求項３】
冷凍商品が収容されることを特徴とする請求項１又は２記載の容器。
【発明の詳細な説明】
【技術分野】
【０００１】
本発明は、商品を輸送する際に使用する発泡合成樹脂製の容器に関する。
【背景技術】
【０００２】
従来、商品を輸送する際に使用する容器として、発泡合成樹脂を用いて形成される容器が知られている（例えば特許文献１、特許文献２）。この容器は、上向きに開放した開口部を備えると共に商品を収容可能に構成された容器本体と該容器本体の開口部を閉塞する蓋体とを備える。
【０００３】
容器本体は、商品が載置される底壁と該底壁の周縁部から起立する本体周壁部とを備える。蓋体は、容器本体の開口部を閉塞した状態で底壁に対向する天壁と該天壁の周縁部から垂下する蓋体周壁部とを備える。また、本体周壁部又は蓋体周壁部のいずれか一方は、凸状の嵌合用凸条を備え、他方は、前記嵌合用凸条が嵌合する凹状の嵌合用凹条を備えている。従って、蓋体で容器本体の開口部を閉塞する場合には、嵌合用凹条と嵌合用凸条とを嵌合させることで、容器本体に蓋体を取り付けることができる。
【０００４】
ところで、この容器の目的地までの運搬あるいは保管などに際しては、運搬や保管効率の面から、例えば運搬車輌等の荷台などにおいて、蓋体で蓋をした容器本体を複数積み重ねている。
【０００５】
この場合、下段の容器（蓋体）の天壁の平面をなす上面に対して、上段の容器（容器本体）の底壁の平面をなす下面を当接（載置）させて、容器を複数段に積み重ねている。
【先行技術文献】
【特許文献】
【０００６】
【特許文献１】実開昭６３−３４０６９号公報
【特許文献２】特開２００７−３０８１４０号公報
【発明の概要】
【発明が解決しようとする課題】
【０００７】
ところが、上記従来の容器にあっては、上記のように運搬や保管などの目的で複数段に容器を積み重ねた際に、上下に互いに当接する底壁下面と天壁上面とが平面であるため、上段容器の底壁が下段容器の天壁に対して滑り動いて上下の容器の重心が互いにぶれ易く、複数の容器を積み重ね難かった。
【０００８】
そこで、本発明は、上記問題に鑑みてなされたもので、運搬や保管などの目的で複数の容器を積み重ねた際に、複数の容器を安定して積み重ねることができる容器を提供することを課題とする。
【課題を解決するための手段】
【０００９】
本発明に係る容器は、上記課題を解決するためになされたもので、発泡性合成樹脂製の容器本体および蓋体を備え、容器本体は、板状の底壁と、該底壁の表側周縁部に立設され高さ方向端部を容器本体の開口部とする枠状の側壁とを備え、底壁は、側壁の厚みよりも薄く形成され、該底壁には、容器本体の重心が底壁の中心軸上に配置されるように底壁補強用リブが形成され、蓋体は、容器本体に蓋をすべく容器本体の開口部を閉塞する天壁を備え、天壁は、底壁の厚みよりも薄く形成され、該天壁には、容器本体に蓋体で蓋をした際の蓋体の重心が底壁の中心軸上に配置されるように天壁補強用リブが形成され、蓋体で蓋をした容器本体を複数積み重ねた際に、下段の蓋体と上段の容器本体とが凸状の嵌合部および凹状の被嵌合部によって互いに前記側壁の高さ方向で嵌合するように構成され、嵌合部および被嵌合部のうちの一方が、底壁の裏側周縁部において表側周縁部の側壁に対応した位置に形成され、嵌合部および被嵌合部のうちの他方が、天壁の表面周縁部において、前記積み重ねの上段の容器本体における前記底壁の嵌合部および被嵌合部のうちの一方に対向する位置に形成されていることを特徴とする。
【００１０】
かかる構成からなる容器によれば、（ａ）底壁は側壁の厚みよりも薄く、天壁は底壁の厚みよりも薄くすることで、容器重量が軽量化され、（ｂ）容器を複数積み重ねる際に、積み重ねの下段容器の蓋体が、嵌合部と被嵌合部との嵌合によって、上段容器の容器本体の底壁の裏側周縁部において表側周縁部の側壁に対応した位置を下方から高さ方向に支持し、（ｃ）容器本体と蓋体の重心が各々、底壁補強用リブ及び天壁補強用リブによって底壁の中心軸上に配置されるので、上段の容器の底壁が下段の容器の天壁に対して支持されて、上下の容器の重心が互いに一致してぶれ難いため、運搬や管理などの目的で複数の容器を安定して積み重ねることができる。更に、かかる容器では、上記のように軽量化しつつも、容器本体と蓋体との強度は、底壁補強用リブと天壁補強用リブによって確保できる。
【００１１】
また、本発明に係る容器では、前記嵌合部は、前記天壁の表面周縁部の全周に亘って凸設され、前記被嵌合部は、前記底壁の裏面周縁部の全周に亘って凹設されるように構成することも可能である。
【００１２】
かかる構成からなる容器によれば、容器を複数積み重ねる際に、積み重ねの下段容器の蓋体天壁の表面周縁部の全周に亘る嵌合部と、上段容器の容器本体底壁の裏側周縁部の全周に亘る被嵌合部とが嵌合して、下段容器の蓋体が上段容器の容器本体底壁の裏側周縁部において表側周縁部の側壁に対応した位置を下方から高さ方向に確実に支持するので、複数の容器を極めて安定して積み重ねることができる。
【００１３】
また、本発明に係る容器は、冷凍商品が収容されることも可能である。
【００１４】
かかる構成からなる容器によれば、冷凍商品が収容された複数の容器は、積み重ねて輸送され、または、管理されるのが一般的であるので、本発明に係る容器は、冷凍商品が収容された複数の容器を安定して積み重ねることができるため、冷凍商品を効率良く輸送、管理できる。
【発明の効果】
【００１５】
以上のように、本発明に係る容器によれば、上段の容器の底壁が下段の容器の天壁に対して支持されて、上下の容器の重心が互いに一致してぶれ難いため、運搬や管理などの目的で複数の容器を安定して積み重ねることができるという効果を奏する。
【図面の簡単な説明】
【００１６】
【図１】本実施形態に係る容器の斜視図を示す。
【図２】（ａ）は同容器の容器本体の平面図、（ｂ）は同容器本体の底面図を示す。
【図３】（ａ）は同容器の蓋体の平面図、（ｂ）は同蓋体の底面図を示す。
【図４】（ａ）は図３（ａ）の蓋体におけるＢ−Ｂ線断面図、（ｂ）は図２（ａ）の容器本体におけるＡ−Ａ線断面図を示す。
【図５】同容器を積み重ねた状態の断面図を示す。
【発明を実施するための形態】
【００１７】
以下、本発明に係る容器の一実施形態について、図１から図５を参照しつつ説明する。本実施形態の容器１は、被収容物として商品（例えば、冷凍商品又は冷凍食品）を収容することができる箱型状に形成されている。
【００１８】
容器１は、図１に示すように、上端部に開口部２Ａを有する発泡性合成樹脂製の容器本体２と、容器本体２の開口部２Ａを閉じて密閉状態にするための発泡性合成樹脂製の蓋体３とを備える。尚、発泡性合成樹脂としては、特に限定されないが、例えば発泡ポリスチレン、発泡ポリエチレン、発泡ポリプロピレン等の各種発泡性合成樹脂が利用できる。また、容器１の短辺方向を左右方向とし、容器１の長辺方向を前後方向とする（以下、図中では、左方向を「左」で、右方向を「右」で、それぞれ示し、前方向を「前」で、後方向を「後」で、それぞれ示している）。
【００１９】
容器本体２を図２、図４（ｂ）に示す。容器本体２は、被収容物（又は被搬送物）が載置される多角形状又は円形状の底壁２１と、該底壁２１の上側（表側）周縁部から立設されて、高さ方向端部を容器本体２の開口部２Ａとする枠状の本体側壁２Ｂとを備えてなる（図１，２参照）。
【００２０】
以下、底壁２１において、その上面は表面と称し、下面は裏面と称する。底壁２１は、平面視略長方形に形成された平板状に形成されている。底壁２１の表面２１Ｕは容器本体２の底面に相当し、被収容物を支持する面である。
【００２１】
底壁２１の表面２１Ｕには、容器本体２の重心が底壁２１の中心軸上に配置されるように底壁補強用リブ２１Ｒが凸設される（図２（ａ）参照）。補強用リブ２１Ｒは、底壁２１を補強するためのものであり、平面視（高さ方向上方から下方を見ること）では、例えば、底壁２１中心に対して前後方向かつ左右方向に対象な形状として十字形状や帯形状や環形状で構成されたり、又は、複数の円形や多角形状が碁盤目状に離間して配置されて構成され得る。本実施形態では、補強用リブ２１Ｒは、図２（ａ）に示すように、前後方向に沿う帯形状と左右方向に沿う帯形状とが底壁２１の中心で交差してなる十字形状であり、補強用リブ２１Ｒは、底壁２１の表面２１Ｕを４区分に分割している。この４区分には各々、容器１内に収容される冷凍食品が載置可能になっており、即ち、補強用リブ２１Ｒは、容器１内に収容される被収容物（冷凍食品）を容器本体２内又は底壁２１上に位置決めするように底壁表面２１Ｕに設けられている。
【００２２】
また、底壁２１の裏面２１Ｌには、矩形枠状の周縁部２１０（縁部領域）を除く中央部側領域に突出部２１１が凸設されている（図２（ｂ）、図４（ｂ）参照）。突出部２１１は、底面視で、左右方向の長さよりも前後方向の長さのほうが長い略矩形状をなす。該突出部２１１は、裏面２１Ｌから下方に突出しており、下面２１１ａは平坦な面に形成されている。また、突出部２１１の側面は、下端部が下面２１１ａの周縁部の全域に一体的に連結されている。突出部２１１の側面の上端部は、裏面２１Ｌの周縁部２１０の内周部の全域に一体的に連結されている。そして、突出部２１１の側面では、下端部が下面２１１ａから外方かつ上方に向かって傾斜し、上端部が裏面２１Ｌの内周部に連結している（図４（ｂ）参照）。即ち、突出部２１１の側面と下面２１１ａとのなす角度は、９０°を超えるように構成されている。換言すれば、突出部２１１は、突出端側が細くなる角錐台状となるように形成されている（図４（ｂ）参照）。尚、突出部２１１は、角錐台状に限らず、水平方向の断面形状が略一定な多角柱状となるように構成することも可能である。
【００２３】
このような突出部２１１によって、底壁２１の裏面２１Ｌの周縁部２１０（矩形枠状の縁部領域）は、相対的に凹状に構成されている。即ち、周縁部２１０は、底壁２１の裏面周縁部の全周（即ち矩形枠状）に亘って凹設される溝部である。かかる周縁部２１０は、蓋体３で蓋をした容器本体２を複数積み重ねた際に、下段容器の蓋体３における後述の嵌合部（補強用凸部３９）に嵌合可能な被嵌合部として構成されている。
【００２４】
また、底壁２１の裏面２１Ｌには、前後方向に沿う各縁部において、容器本体２と蓋体３を一体化するためのバンドを掛けることが可能なバンド掛け部２１２が前方と後方に凹設されている（図２（ｂ）参照）。底壁２１の裏面２１Ｌには、左右方向に沿う両縁部において各々、中央部に指掛け可能（バンド掛けも可能）な指掛け部２５が凹設されている（図２（ｂ）参照）。
【００２５】
本体側壁２Ｂは、底壁２１の表面２１Ｕの周縁部から上方に立ち上げられ、矩形枠状に形成されている。本体側壁２Ｂは、左右側壁２２，２２および前後側壁２３，２３から構成されている（図２（ａ）、図４（ｂ）参照）。左右側壁２２，２２は、底壁２１の一対の長辺である左右の縁部から上方に立ち上げられ、左右方向で互いに対向している。前後側壁２３，２３は、底壁２１の一対の短辺である前後の縁部から上方に立ち上げられ、前後方向で互いに対向している。本体側壁２Ｂは、底壁２１に直接的に連続する肉厚部２４と、肉厚部２４の高さ方向先端部に配置された肉薄部である嵌合用凸条（又は嵌合用凸部）４とから一体的に形成されている。嵌合用凸条４は、本体側壁２Ｂの肉厚部２４の高さ方向先端部である上端部に、本体側壁２Ｂの内側縁部の全周に亘って配置されるとともに上下方向に沿うよう凸設されている（図２（ａ）、図４（ｂ）参照）。
【００２６】
なお、肉厚部２４の厚み（本体側壁２Ｂの一側壁における内面から外面までの厚さ）は、底壁２１の厚み（表面２１Ｕから裏面２１Ｌまでの厚さ）よりも厚く形成されている。即ち、被収容物を収容した容器１を複数に積み重ねる際に、本体側壁２Ｂは、上段の容器１を適切に支持できるように、底壁２１よりも厚く構成している。
【００２７】
蓋体３は、図３、図４（ａ）に示すように、容器本体２に対して着脱可能に構成されている。具体的には、蓋体３は、天壁３１と蓋体側壁３２とを備える。以下、天壁３１において、上面は表面と称し、下面は裏面と称する。天壁３１は平面視略長方形（多角形状の一例）に形成され、表面３１Ｕは平坦面である。天壁３１の裏面３１Ｌは、表面３１Ｕと平行な平坦面である。
【００２８】
蓋体側壁３２は、蓋体３の天壁３１の裏面３１Ｌの周縁部から下方に延びるよう、天壁３１の裏面３１Ｌに一体的に形成されている（図３（ｂ）、図４（ａ）参照）。蓋体側壁３２の厚み方向中央部において、容器本体２の嵌合用凸条４と着脱自在に嵌合される嵌合用凹部５が上方へ窪んで形成されている。すなわち蓋体側壁３２は、嵌合用凹部５と、嵌合用凹部５に対して外側に配置された矩形枠状の凸条部分と、嵌合用凹部５に対して内側に配置された矩形枠状の凸条部分とを備える。以下、蓋体側壁３２において、嵌合用凹部５は嵌合用溝５と称し、嵌合用溝５に対して外側にある矩形枠状の凸条部分は外側壁部３３と称し、嵌合用溝５に対して内側にある矩形枠状の凸条部分は内側壁部３４と称する（図３（ｂ）、図４（ａ）参照）。
【００２９】
外側壁部３３は、左右の外側壁部３５，３５と、前後の外側壁部３６，３６とから構成されている（図３（ｂ）参照）。左右の外側壁部３５，３５は、天壁３１の裏面３１Ｌの左右の縁部から下方に向けて延びるよう形成され、前後の外側壁部３６，３６は、天壁３１の裏面３１Ｌの前後の縁部から下方に向けて延びるよう形成されている。左右の外側壁部３５，３５および前後の外側壁部３６，３６の下端面は面一であり、外側壁部３３の高さは、天壁３１の裏面３１Ｌから同一高さに設定されている。
【００３０】
内側壁部３４は、天壁３１の裏面３１Ｌにおいて、外側壁部３３から所定距離（嵌合用溝５の幅に相当する距離）だけ内側にあって、外側壁部３３に沿って形成されている（図３（ｂ）参照）。内側壁部３４は、前後方向で対向する前後の内側壁部３７，３７と、左右方向で対向する左右の内側壁部３８，３８とから構成されている。すなわち内側壁部３４は、天壁３１の裏面３１Ｌから下向きに突出した矩形枠状に形成されている。
【００３１】
嵌合用溝５は、容器本体２の嵌合用凸条４と着脱自在に嵌合される窪みである（図３（ｂ）、図４参照）。嵌合用溝５は、凹状をなし、蓋体側壁３２の全周に沿って形成されている。嵌合用溝５における溝高は、嵌合用凸条４における高さと同一又は略同一である。また、嵌合用溝５における溝幅は、嵌合用凸条４における幅と同一又は略同一に構成される。容器１では、この嵌合用溝５と嵌合用凸条４とを嵌合させることで、嵌合用凸条４と嵌合用溝５とが密閉され（容器本体２と蓋体３とが密閉され）て、容器本体２の開口部２Ａが蓋体３で覆われるように構成されている。即ち、嵌合用溝５は、蓋体３（天壁３１）の裏面周縁部において、容器本体２の開口部２Ａを閉塞した状態で前記本体側壁２Ｂにおける嵌合用凸条４に対向する位置に形成されるように構成されている。
【００３２】
また、蓋体３は、天壁３１の表面３１Ｕにおける周縁部（詳細には、矩形枠状の縁部）に、補強用凸部３９を備える（図３（ａ）参照）。補強用凸部３９は、複数の凸部が天壁３１の矩形周方向に互いに離間して配置されてなる。各補強用凸部３９は、表面３１Ｕから突出するよう天壁３１に一体的に形成され、かつ、径方向（周方向に交差する方向）に略等しい幅に形成されている。また、各補強用凸部３９の上面は平坦面であり、表面３１Ｕから等しい高さに設定されている。この補強用凸部３９の高さは、底壁２１の突出部２１１の高さと等しいように構成される。
【００３３】
各補強用凸部３９は、具体的には、前後方向に沿う長手部分と左右方向に沿う短手部分とを表面３１Ｕの各隅部（角部）において連続させてなる隅部凸部と、表面３１Ｕの前後方向に沿う縁部の中央部において前後方向に沿う辺部凸部とを有し、隅部凸部と辺部凸部とが互いに離間してなる。このように補強用凸部３９どうしが離間する領域（表面３１Ｕの周縁部において補強用凸部３９が存在しない縁部領域）のうち、壁３１の表面３１Ｕの前後方向に沿う縁部の前方と後方における離間領域は、容器本体２と蓋体３を一体化するためのバンドを容器１の短手方向に掛けるためのバンド掛部３９ａとされている（図３（ａ）、図４（ａ）参照）。一方、表面３１Ｕの左右方向に沿う縁部の中央における離間領域は、指掛け可能（バンド掛けも可能）な指掛け部３９ｂとされている（図３（ａ）参照）。
【００３４】
このような補強用凸部３９は、天壁３１の表面周縁部の全周（即ち矩形枠状）に亘って凸設される凸部であり、蓋体３で蓋をした容器本体２を複数積み重ねた際に、上段容器の容器本体２における底壁２１の被嵌合部に嵌合可能な嵌合部として構成されている。かかる補強用凸部３９は、天壁３１の表面周縁部において、蓋体３で蓋をした容器本体２を複数積み重ねた際に、上段容器の容器本体２における底壁２１の被嵌合部（周縁部２１０）に対向する位置に形成されている。なお、本実施形態の補強用凸部３９は、天壁３１の表面周縁部の全周に亘って断続的に設けられるが、天壁３１の表面周縁部の全周に亘って連続的に設けられる構成も可能である。
【００３５】
また、天壁３１の裏面３１Ｌには、容器本体２に蓋体３で蓋をした際の蓋体３の重心が底壁２１の中心軸上に配置されるように、天壁補強用リブ３１Ｒが凸設されている（図３（ｂ）参照）。天壁補強用リブ３１Ｒは、蓋体３を補強するためのものであり、底壁補強用リブ２１Ｒと同様に構成される。即ち、天壁補強用リブ３１Ｒは、底面視（高さ方向下方から上方を見ること）では、例えば、天壁３１中心に対して前後方向かつ左右方向に対象な形状として十字形状や帯形状や環形状で構成されたり、又は、複数の円形や多角形状が碁盤目状に離間して配置されて構成され得る。本実施形態では、天壁補強用リブ３１Ｒは、図３（ｂ）に示すように、前後方向に沿う帯形状と左右方向に沿う帯形状とが天壁３１の中心で交差してなる十字形状であり、天壁補強用リブ３１Ｒは、天壁３１の裏面３１Ｌを４区分に分割している。この天壁補強用リブ３１Ｒは、裏面３１Ｌにおいて内側壁部３４よりも中央部側に設けられ、容器本体２に蓋体３で蓋をした際に底壁２１の底壁補強用リブ２１Ｒに対向して設けられている。即ち、天壁補強用リブ３１Ｒは、容器１内に収容される被収容物（冷凍食品）を容器本体２内又は天壁３１に対して位置決めするように天壁裏面３１Ｌに設けられている。
【００３６】
かかる天壁３１の厚み（表面３１Ｕから裏面３１Ｌまでの厚さ）は、蓋体側壁３２の厚み（蓋体側壁３２の一側壁における内面から外面までの厚さ）及び底壁２１の厚みよりも薄く形成されている。即ち、底壁２１は、容器１に収容される所定重量の被収容物が適切に載置されるように、天壁３１の厚さよりも厚くしている。換言すれば、天壁３１は、被収容物を収容した容器１を複数に積み重ねる際に、底壁２１や本体側壁２Ｂと比較して負荷が相対的に小さいため、底壁２１や本体側壁２Ｂよりも厚さを薄くしている。
【００３７】
以上のような構成からなる容器１では、被収容物として冷凍商品（詳細には、食品トレー上に包装された冷凍食品）を収容する際には、容器本体２の底壁２１の表面２１Ｕ上で、底壁補強用リブ２１Ｒによって分割された各分割領域に冷凍商品を載置する。本実施形態では、底壁補強用リブ２１Ｒによって分割された表面２１Ｕの４つの分割領域の各々に冷凍食品が複数段（例えば、２段）に積み重ねて載置される。即ち、複数の冷凍食品は各々、容器本体２内又は底壁２１上において底壁補強用リブ２１Ｒによって区切られて配置（即ち、位置決め）されている。
【００３８】
そして、容器本体２の開口部２Ａを閉塞するように蓋体３を容器本体２に取り付ける。この際、蓋体３の嵌合用溝５と容器本体２の嵌合用凸条４とを凹凸嵌合させる。この嵌合によって、密閉状態の容器１が形成される。また、冷凍食品は、容器本体２内において、底壁２１の底壁補強用リブ２１Ｒと、天壁３１の天壁補強用リブ３１Ｒとによって区切られて配置（即ち、位置決め）されている。
【００３９】
このように密閉状態にされた容器１は、運搬や保管の目的で、複数段に積み重ねられる。容器１を複数段に積み重ねる際には、下段の容器１における蓋体３の天壁３１の嵌合部（補強用凸部３９）に対して、上段の容器１における容器本体２の底壁２１の被嵌合部（周縁部２１０）を本体側壁２Ｂの高さ方向で嵌合させる。このとき、天壁３１の補強用凸部３９によって画定される内側領域に、上段の容器１における容器本体２の底壁２１の突出部２１１が配置される。即ち、下段の天壁３１の補強用凸部３９が上段の底壁２１の突出部２１１の水平方向への移動を規制している。換言すれば、下段の容器１（蓋体３）は、上段の容器１（容器本体２）を支えると共に移動規制（又は位置決め）している。よって、上段の容器１は水平方向への移動が規制され、上段の容器１は下段の容器１に対して水平方向に安定して保持された状態で積み重ねられる。
【００４０】
ここで、本実施形態では、上段の容器１の突出部２１１の平坦な下面２１１ａは、下段の容器１の蓋体３（天壁３１）の平坦な表面３１Ｕに当接する。よって、突出部２１１の下面２１１ａと天壁３１の表面３１Ｕとの当接による摩擦力によって、上段の容器１は下段の容器１に対して水平方向への移動が規制され、水平方向に極めて安定して保持される
【００４１】
また、容器本体２の底壁２１を本体側壁２Ｂの厚さよりも薄く、蓋体３の天壁３１を底壁２１の厚さよりも薄く形成することで、容器１が軽量化されており、底壁２１の底壁補強用リブ２１Ｒと天壁３１の天壁補強用リブ３１Ｒによって、容器本体２と蓋体３の重心が底壁２１の中心軸上に一致して配置されているので、上段の容器１は下段の容器１に対してぶれ難く安定して保持された状態で積み重ねられる。
【００４２】
以上、本実施形態に係る容器１によれば、発泡性合成樹脂製の容器本体２および蓋体３を備え、容器本体２は、板状の底壁２１と、該底壁２１の表側周縁部に立設され高さ方向端部を容器本体２の開口部２Ａとする枠状の本体側壁２Ｂとを備え、底壁２１は、本体側壁２Ｂの厚みよりも薄く形成され、該底壁２１には、容器本体２の重心が底壁２１の中心軸上に配置されるように底壁補強用リブ２１Ｒが形成され、蓋体３は、容器本体２に蓋をすべく容器本体２の開口部２Ａを閉塞する天壁３１を備え、天壁３１は、底壁２１の厚みよりも薄く形成され、該天壁３１には、容器本体２に蓋体３で蓋をした際の蓋体３の重心が底壁２１の中心軸上に配置されるように天壁補強用リブ３１Ｒが形成され、蓋体３で蓋をした容器本体２を複数積み重ねた際に、下段の蓋体３と上段の容器本体２とが凸状の嵌合部３９および凹状の被嵌合部２１０によって互いに前記本体側壁２Ｂの高さ方向で嵌合するように構成され、嵌合部３９が、底壁２１の裏側周縁部において表側周縁部の本体側壁２Ｂに対応した位置に形成され、被嵌合部２１０が、天壁３１の表面周縁部において、前記積み重ねの上段の容器本体２における底壁２１の嵌合部３９に対向する位置に形成されていることを特徴としている。
【００４３】
かかる構成からなる容器１によれば、（ａ）底壁２１は本体側壁２Ｂの厚みよりも薄く、天壁３１は底壁２１の厚みよりも薄くすることで、容器重量が軽量化され、（ｂ）容器１を複数積み重ねる際に、積み重ねの下段容器１の蓋体３が、嵌合部３９と被嵌合部２１０との嵌合によって、上段容器１の容器本体２の底壁２１の裏側周縁部において表側周縁部の本体側壁２Ｂに対応した位置を下方から高さ方向に支持し、（ｃ）容器本体２と蓋体３の重心が各々、底壁補強用リブ２１Ｒ及び天壁補強用リブ３１Ｒによって底壁２１の中心軸上に配置されるので、上段の容器１の底壁２１が下段の容器１の天壁３１に対して支持されて、上下の容器１の重心が互いに一致してぶれ難いため、運搬や管理などの目的で複数の容器１を安定して積み重ねることができる。更に、かかる容器１では、上記のように軽量化しつつも、容器本体２と蓋体３との強度は、底壁補強用リブ２１Ｒと天壁補強用リブ３１Ｒによって確保できる。
【００４４】
また、本実施形態の容器１では、前記嵌合部３９は、前記天壁３１の表面周縁部の全周に亘って凸設され、前記被嵌合部２１０は、前記底壁２１の裏面周縁部の全周に亘って凹設されて構成されている。
【００４５】
かかる構成からなる容器１によれば、容器１を複数積み重ねる際に、積み重ねの下段容器１の蓋体天壁３１の表面周縁部の全周に亘る嵌合部３９と、上段容器１の容器本体底壁２１の裏側周縁部の全周に亘る被嵌合部２１０とが嵌合して、下段容器１の蓋体３が上段容器１の容器本体底壁２１の裏側周縁部において表側周縁部の本体側壁２Ｂに対応した位置を下方から高さ方向に確実に支持するので、複数の容器１を極めて安定して積み重ねることができる。
【００４６】
また、本実施形態の容器１は、冷凍商品が収容されるように構成されている。
【００４７】
かかる構成からなる容器１によれば、冷凍商品が収容された複数の容器は、積み重ねて輸送され、または、管理されるのが一般的であるので、本実施形態の容器１は、冷凍商品が収容された複数の容器１を安定して積み重ねることができるため、冷凍商品を効率良く輸送、管理できる。
【００４８】
また、本実施形態に係る容器１によれば、突出部２１１は、突出端側が細くなる角錐台状に構成されているので、複数の容器１を積み重ねる際又は積み降ろす際に、上段の容器１の底壁２１の突出部２１１の下面２１１ａ又は側面を、下段の容器１の天壁３１における補強用凸部３９の上面又は内側面に円滑に摺動させることができ、作業効率を向上することができる。
【００４９】
尚、本発明に係る容器１は、上記実施形態に限定されるものではなく、本発明の要旨を逸脱しない範囲で種々の変更が可能である。
【００５０】
上記実施形態では、容器１には、冷凍商品が収容される場合について説明したが、これに限らず、容器１には、生鮮食品などが収容されることも可能である。
【００５１】
また、上記実施形態では、蓋体３の天壁３１に嵌合部（補強用凸部３９）が設けられ、容器本体２の底壁２１に被嵌合部（周縁部２１０）が設けられる場合について説明したが、これに限らず、蓋体３の天壁３１に被嵌合部として凹部が設けられ、容器本体２の底壁２１に嵌合部として凸部が設けられることで、蓋体３で蓋をした容器本体２を複数積み重ねた際に、下段の蓋体３と上段の容器本体２とが凸状の嵌合部および凹状の被嵌合部によって互いに本体側壁２Ｂの高さ方向で嵌合するように構成されることも可能である。この場合、嵌合部は、底壁２１の裏側周縁部において表側周縁部の本体側壁２Ｂに対応した位置に形成され、被嵌合部は、天壁３１の表面周縁部において、前記積み重ねの上段の容器本体２における底壁２１の嵌合部に対向する位置に形成されている。
【００５２】
また、上記実施形態の蓋体３では、補強用凸部３９の高さは、底壁２１の突出部２１１の高さと等しい構成について説明したが、これに限らず、補強用凸部３９の高さは、突出部２１１の高さよりも若干高く構成されることも可能である。この場合、容器１を複数段に積み重ねた際に、上段の容器１の突出部２１１の下面２１１ａは、下段の容器１の蓋体３（天壁３１）の表面３１Ｕに当接しないので、上段の容器１の下面２１１ａが仮に汚れていても、下段の容器１を汚すことがない。
【００５３】
また、上記実施形態では、容器本体２に嵌合用凸条４が設けられ、蓋体３に嵌合用溝５が設けられる場合について説明したが、これに限らず、容器本体２に凹状の嵌合用凹部が設けられ、蓋体３に凸状の嵌合用凸条が設けられて、嵌合用凹部と嵌合用凸条との嵌合によって蓋体３が容器本体２の開口部２Ａを閉塞するように構成されることも可能である。
【００５４】
また、上記実施形態では、蓋体３は、天壁３１と蓋体側壁３２とを備えて構成される場合について説明したが、これに限らず、蓋体３は、天壁３１のみで構成されることも可能である。この場合、蓋体３の天壁３１の裏面３１Ｌには、容器本体２の本体側壁２Ｂにおける嵌合用凸条４又は嵌合用凹部に嵌合する天壁嵌合部であって、嵌合用凸条４に嵌合する凹状、又は、嵌合用凹部に嵌合する凸状をなす天壁嵌合部が形成され、前記天壁嵌合部は、天壁３１の裏面周縁部において、容器本体２の開口部２Ａを閉塞した状態で前記本体側壁２Ｂにおける嵌合用凸条４又は嵌合用凹部に対向する位置に凹設又は凸設されることができる。
【符号の説明】
【００５５】
１・・・容器、２・・・容器本体、２Ａ・・・開口部、２Ｂ・・・本体側壁、３・・・蓋体、４・・・嵌合用凸条（嵌合用凸部）、５・・・嵌合用凹部（嵌合用溝）、２１・・・底壁、２１Ｌ・・・裏面、２１Ｕ・・・表面、２１Ｒ・・・底壁補強用リブ、２２・・・左右側壁、２３・・・前後側壁、２４・・・肉厚部、３１・・・天壁、３１Ｌ・・・裏面、３１Ｕ・・・表面、３１Ｒ・・・天壁補強用リブ、３２・・・蓋体側壁、３３・・・外側壁部、３４・・・内側壁部、３９・・・補強用凸部（嵌合部）、２１０・・・周縁部（被嵌合部）、２１１・・・突出部
【図１】
2015085948.tif 000003
【図２】
2015085948.tif 000004
【図３】
2015085948.tif 000005
【図４】
2015085948.tif 000006
【図５】
2015085948.tif 000007